(57)【要約】【課題】  軒先を建物本体から外方へ延出させる寸法を大きくした場合であっても、雪の重さや風圧、さらには軒先自身の重さ等に耐えることができる強固な建物の軒先構造を提供する。【解決手段】  ユニット建物１の上部に離間して平行に配置された２本の上部桁フレーム材８ａ，８ｂと、２本の上部桁フレーム材８ａ，８ｂに、これらと直交するように架け渡された片持ち垂木２５と、片持ち垂木２５の建物本体１から外側に突出している軒先延長部２５ａに装着された軒先部材１４とを有する建物の軒先構造。【選択図】  図３
2006028753.tif 000002
【特許請求の範囲】
【請求項１】
建物本体の上部に離間して平行に配置された少なくとも２本の桁屋根梁と、
前記２本の桁屋根梁に、これらと直交するように架け渡された複数本の片持ち垂木と、
前記片持ち垂木の建物本体から外側に突出している軒先延長部に装着された軒先部材、
とを有することを特徴とする建物の軒先構造。
【請求項２】
前記桁屋根梁は、ユニット建物を構成する建物ユニットの上部桁フレーム材であること
を特徴とする請求項１記載の建物の軒先構造。
【請求項３】
前記片持ち垂木は、折版屋根の山部により形成された下側空間に配設されていることを
特徴とする請求項１記載の建物の軒先構造。
【請求項４】
平行配置された複数本の通梁材に、少なくとも２本の片持ち垂木を前記通梁材と直交す
るように固定して上面視で略門型の軒先支持部材を形成し、
前記片持ち垂木を、建物本体の上部に離間して平行に配置された少なくとも２本の桁屋
根梁に、これらと直交するように架け渡して、前記通梁材を前記建物本体の外側に突出さ
せて配置することを特徴とする請求項１または請求項２に記載の建物の軒先構造の構築方
法。
【発明の詳細な説明】
【技術分野】
【０００１】
本発明は、建物の軒先構造およびその架構方法に関するものである。
【背景技術】
【０００２】
従来から知られている建物の軒先構造としては、図１１および図１２に示すようなもの
が知られている（例えば特許文献１参照）。
【０００３】
まず、構成から説明すると、このような従来の軒先構造では、建物本体（図示せず）上
部に設けられた桁屋根梁８に、これと直交するようにアーム２２が設置され、アーム２２
の先端（桁屋根梁８の反対側）に、桁屋根梁と平行に通梁材２１が設置され、通梁材２１
に、これと直交するようにパラペットアーム１９が設置され、パラペットアーム１９の先
端（通梁材２１の反対側）に、プレート１８を介してパラペット１７が装着されて構成さ
れている。
【０００４】
ここで、通梁材２１はＣ形綱が用いられ、この開口部は、キャップ２１ｂで覆われて閉
塞断面に形成されている。
【０００５】
また、アーム２２の基端部に溶接固定されている連結プレート２３が、桁屋根梁８にボ
ルト・ナット３１ｂで固定され、アーム２２の先端部に溶接固定されている連結プレート
２４が通梁材２１に溶接固定されている。
【０００６】
前記パラペットアーム１９の上面には、折版屋根４の軒先部から流れ落ちる雨水を縦樋
３３に排水するための軒樋３２が取り付けられており、また、パラペットアーム１９およ
びアーム２２の下面には軒天井３４が取り付けられており、さらに、折版屋根４とパラペ
ット１７間の間口には、雪やゴミが直接軒樋３２の内部に落ちないようにするためのカバ
ー３５が取り付けられている。
【０００７】
次に、この従来の建物の軒先構造の作用について説明する。
【０００８】
このように構成された従来の建物の軒先構造では、アーム２２の基端部に溶接固定され
ている連結プレート２３が、桁屋根梁８にボルト・ナット３１ｂで固定されるため、軒先
の荷重は、ボルト・ナット３１ｂを介して桁屋根梁８でもって受けられる。
【０００９】
また、通梁材２１は、開口部をキャップ２１ｂで覆って閉塞断面にしたＣ形綱で形成さ
れており、曲げ剛性が高くなるため、別途補強剤等を付加せずにパラペット１７の支持強
度を確保することが出来る。
【特許文献１】特公平７−１０７３０６号公報（第１図、第３図、第４欄第１行目乃至第５欄第１７行目）
【発明の開示】
【発明が解決しようとする課題】
【００１０】
ところで、軒先は、建物本体から外方へ延出させる寸法が大きいほど、雨の垂れ落ちや
着雪を防止する上で効果的である。
【００１１】
しかしながら、前述した従来例のように、アーム２２がボルト・ナット３１ｂでもって
桁屋根梁８に固定された構成であると、軒先の荷重は、ボルト・ナット３１ｂおよび桁屋
根梁８といった限られた部分に集中する。
【００１２】
このため、軒先の外方への延出寸法を大きくした場合、雪の重さや風圧、さらには軒先
自身の重さ（自重）等に耐えられなくなるという問題がある。
【００１３】
そこで、本発明は、軒先を建物本体から外方へ延出させる寸法を大きくした場合であっ
ても、雪の重さや風圧、さらには自重等に耐えることができる強固な建物の軒先構造の提
供を目的とする。
【００１４】
また、本発明は、前記した強固な建物の軒先構造をプレハブ方式で架構することができ
る建物の軒先の構築方法の提供を目的とする。
【課題を解決するための手段】
【００１５】
前記目的を達成するために、請求項１の発明は、建物本体の上部に離間して平行に配置
された少なくとも２本の桁屋根梁と、前記２本の桁屋根梁に、これらと直交するように架
け渡された複数本の片持ち垂木と、前記片持ち垂木の建物本体から外側に突出している軒
先延長部に装着された軒先部材、とを有する建物の軒先構造を特徴としている。
【００１６】
また、請求項２に記載されたものは、前記桁屋根梁は、ユニット建物を構成する建物ユ
ニットの上部桁フレーム材である請求項１記載の建物の軒先構造を特徴としている。
【００１７】
さらに、請求項３に記載されたものは、前記片持ち垂木は、折版屋根の山部により形成
された下側空間に配設されている請求項１記載の建物の軒先構造を特徴としている。
【００１８】
さらに、請求項４に記載されたものは、平行配置された複数本の通梁材に、少なくとも
２本の片持ち垂木を前記通梁材と直交するように固定して上面視で略門型の軒先支持部材
を形成し、前記片持ち垂木を、建物本体の上部に離間して平行に配置された少なくとも２
本の桁屋根梁に、これらと直交するように架け渡して、前記通梁材を前記建物本体の外側
に突出させて配置する請求項１または請求項２に記載の建物の軒先構造の構築方法を特徴
としている。
【発明の効果】
【００１９】
このように構成された請求項１のものは、軒先を延出させた部分に設けられた複数本の
片持ち垂木が、建物本体の上部に離間して平行に配置された少なくとも２本の桁屋根梁に
架け渡されている。
【００２０】
このため、軒先の荷重は、片持ち垂木を介して建物本体上部の少なくとも２本の桁屋根
梁で受けられ、雪の重さや風圧、さらには自重等による大きな荷重にも耐えられるように
なる。
【００２１】
したがって、軒先を建物本体から外方へ延出させる寸法を大きくすることができ、建物
本体近くでの雨垂れや着雪を効果的に防止できるようになる。
【００２２】
また、請求項２に記載されたものは、片持ち垂木は、骨格が鉄骨ラーメン構造を有する
建物ユニットの上部桁フレーム材に架け渡されている。
【００２３】
このため、軒先を延出させた部分による荷重は、片持ち垂木を介して建物ユニットの骨
格全体で分散支持されるようになり、軒先の支持強度をより一層向上させることができる
ようになる。
【００２４】
また、請求項３に記載されたものは、建物本体に配設される片持ち垂木は、折版屋根の
山部を利用して配設されており、スペースを別途確保することなく垂木を配設することが
できる。
【００２５】
このため、従来の建物構造をそのまま利用して軒先の外方への延出寸法を大きくするこ
とができ、外観上の変更がないため、建物本体との一体感が保たれ、美観を損なうことが
ない。
【００２６】
さらに、請求項４に記載されたものは、軒先部材の骨組みとなるフレームを、工場等で
予め組み立ててから現地へ運搬して据え付けることができるようになる。
【００２７】
このため、延出寸法の大きな軒先をプレハブ方式で架構することができ、効率およびコ
ストの面で有利である。
【発明を実施するための最良の形態】
【００２８】
以下、本発明の最良の実施の形態について図面を参照して説明する。
【００２９】
なお、前記従来例と同一乃至均等な部分については、同一符号を付して説明する。
【００３０】
まず、構成から説明すると、本実施の形態における建物本体としてのユニット建物１は
図１に示すように、基礎２の上に９個の建物ユニット３が据え付けられて一階が構成され
、この上に、９個の建物ユニット３が据え付けられて二階が構成され、最上階の建物ユニ
ット３の上に折版屋根４が設置されている。
【００３１】
また、平面視で長方形状に形成された折版屋根４の４つの軒先のうち１つの軒先５は、
他の３つの軒先６よりも外方へ延出させる寸法Ｌが大にされることによって、軒先が延長
されている。
【００３２】
前記ユニット建物１を構成する建物ユニット３の骨格は、図２に示すように、平面視で
長方形状の四隅に配置した４本の柱７と、この４本の柱７の上端部を長方形状の辺に沿っ
て連結した天井梁８と、この４本の柱７の下端部を長方形状の辺に沿って連結した床梁９
とからなる直方体形状をしており、直方体の各頂点において柱７と２本の天井梁８が、ま
た、柱７と２本の床梁９が溶接接続された鉄骨ラーメン構造を呈している。
【００３３】
また、建物ユニット３は、平行する２本の天井梁８の間に複数本の天井野縁１０・・・
が差し渡され、これらの天井野縁１０・・・の下面に天井材（図示せず）が取り付けられ
て天井が形成される。
【００３４】
そして、平行する２本の床梁９の間に複数本の床小梁１１・・・が差し渡され、これら
の床小梁１１・・・の上に複数本の床根太１２・・・が取り付けられ、これらの床根太１
２・・・の上に床材（図示せず）が取り付けられて床が形成される。
【００３５】
また、天井梁８と床梁９との間に間柱１３が取り付けられ、この間柱１３に壁パネル（
図示せず）が取り付けられて壁が形成される。
【００３６】
ここで、図３に示すように、片持ち垂木２５が、建物ユニット３の上部に離間して平行
に配置された２本の上部桁フレーム材（桁屋根梁）８ａ，８ｂに、これらと直交するよう
に架け渡され、建物ユニット３に片持ち支持される。
【００３７】
この場合、片持ち垂木２５は、ボルト・ナット３１ａ，３１ｂ，３１ｃでもって上部桁
フレーム材８ａ，８ｂに固定される。
【００３８】
図３においては、１本の片持ち垂木２５のみが表されているが、本実施の形態では図６
に示すように、２本の片持ち垂木２５が平行に配置されて使用される。
【００３９】
なお、片持ち垂木２５には、鋼製で断面ロ字状の中空体が使用され、ボルトを挿通させ
るためのネジ穴２５ｂが複数個設けられている（図５参照）。
【００４０】
図３を参照して、片持ち垂木２５の建物ユニット３から外側に突出している軒先延長部
２５ａには、軒先部材１４が装着されている。
【００４１】
前記軒先部材１４は、延長アーム部１６と、必要に応じ延長アーム部１６に取り付けら
れるパラペット部１５を有している。
【００４２】
前記延長アーム部１６は、上部桁フレーム材８ａ，８ｂと直交する方向に延設されたア
ーム２２と、アーム２２の基端部に溶接固定された連結プレート２３と、アーム２２の先
端部に溶接固定された連結プレート２４と、アーム２２と直交する方向に延設された通梁
材２１とを有している。
【００４３】
前記パラペット部１５は、パラペット本体１７と、パラペレット本体１７が取り付けら
れるプレート１８と、アーム２２と同方向に延設されたパラペットアーム１９と、パラペ
ットアーム１９の基端部に溶接固定された連結プレート２０とを有している。
【００４４】
連結プレート２３がボルト・ナット３１ｂでもって上部桁フレーム材８ｂに固定され、
また、連結プレート２０と連結プレート２４の間に通梁材２１が挟持され、これらがボル
ト・ナット３１ｄ，３１ｅで固定されると共に、通梁材２１が片持ち垂木２５の先端部に
ボルト・ナット３１ｆでもって固定されることにより、延長アーム部１６およびパラペッ
ト部１５が一体となって片持ち垂木２５の軒先延長部２５ａに装着される。
【００４５】
片持ち垂木２５は、図４にも示すように、折版屋根４の山部２６により形成された下側
空間２７に配設されている。
【００４６】
前記折版屋根４は、建物本体１から軒先部材１４に跨って一体に形成されており、また
、連結プレート２３にボルト・ナット３１ｃで固定されると共に、上部に嵌合片２８が設
けられた片持ち垂木２５でもって支持されている。
【００４７】
片持ち垂木２５は、軒先５の延出寸法Ｌの大きさ（または、軒先５の荷重）に応じて３
本以上設けても良い。
【００４８】
前記パラペットアーム１９の上面には、折版屋根４の軒先部から流れ落ちる雨水を縦樋
３３に排水するための軒樋３２が取り付けられており、また、パラペットアーム１９およ
びアーム２２の下面には軒天井３４が取り付けられており、さらに、折版屋根４とパラペ
ット１７間の間口には、雪やゴミが直接軒樋３２の内部に落ちないようにするためのカバ
ー３５が取り付けられている。
【００４９】
次に、前記した実施の形態の作用について説明する。
【００５０】
前記軒先５の構築方法を説明すると、まず、図５に示すように、２本の片持ち垂木２５
および２本の通梁材２１を平行配置したフレーム２９を用意する。
【００５１】
片持ち垂木２５に形成されたネジ穴２５ｂおよび通梁材２１に形成されたネジ穴２１ａ
にボルト・ナット３１ｃ，３１ｆ（図７参照）を挿通し、図６に示すように、フレーム２
９に２本の片持ち垂木２５を固定することによって、上面視で略門型の軒先支持部材１４
ａが形成される。
【００５２】
前記フレーム２９は、平行配置されたＬ字型の２本の通梁材２１，２１の間をアーム２
２で連結したもので、予め工場等で組み立てられてから、現地に運搬されるが、フレーム
２９は、アーム２２を用いることなく、単に、平行配置された２本の通梁材２１を２本の
片持ち垂木２５でボルト・ナット止めして固定することによっても構成することができる
。
【００５３】
なお、図７は、フレーム２９に垂木２５を固定した状態の側面図である。
【００５４】
次いで、図６に示すように、軒先支持部材１４ａにワイヤ３０を懸けてクレーン（図示
せず）で吊り上げて建物ユニット３の上部に運搬し、図８に示すように、２本の片持ち垂
木２５を建物ユニット３の平行に配置された２本の上部桁フレーム材８ａ，８ｂに架け渡
し、ボルト・ナット３１ａ，３１ｂて固定する。
【００５５】
据え付け時は２本の片持ち垂木２５で仮固定し、その後、片持ち軒先５の延出寸法の大
きさに応じて片持ち垂木２５を増設してもよい。
【００５６】
このようにして、軒先支持部材１４ａを建物ユニット３の外側に突出させて配置し、次
いで、図９に示すように、通梁材２１にパラペット部１５をボルト・ナット３１ｄ，３１
ｅで固定する。
【００５７】
さらに、図１０に示すように、折版屋根４を建物本体１から軒先部材１４に跨って一体
に形成することにより、軒先５が形成される。
【００５８】
本実施の形態においては、軒先を延出させた部分に設けられた複数本の片持ち垂木２５
が、鉄骨ラーメン構造の骨格を有する建物ユニット３の上部桁フレーム材８ａ，８ｂに架
け渡されているため、軒先の荷重は、片持ち垂木２５を介して建物ユニット３の骨格全体
で分散支持されるようになる。
【００５９】
このため、片持ち垂木２５を少なくとも２本の桁屋根梁８で支持する構成（請求項１）
に比して、さらに、建物ユニット３による軒先の支持強度を大きくすることができ、軒先
を建物本体から外方へ延出させる寸法を大きくすることができる。
【００６０】
また、ユニット建物１の上部に配設される片持ち垂木２５は、折版屋根４の山部２６を
利用して配設されている。
【００６１】
このため、片持ち垂木２５を配設するためのスペースを別途確保する必要なく、従来の
建物構造をそのまま利用して軒先５の外方への延出寸法を大きくすることができ、外観の
変更がないため、ユニット建物１との一体感が保たれ、美観を損なうことがない。
【００６２】
さらに、折版屋根４は、ユニット建物１と軒先部材１４に跨って一体に形成されている
。
【００６３】
このため、ユニット建物１と一体感があって外観の良好な軒先５を形成することができ
る。
【００６４】
さらに、本実施の形態の軒先構造は、軒先部材１４の骨組みとなるフレーム２９を、工
場等で予め組み立ててから現地へ運搬して据え付けることによって構築することができる
。
【００６５】
このため、延出寸法の大きな軒先５を建物の上で組み立てる必要が無くなり、効率およ
びコストの面で有利である。
【００６６】
以上、図面を参照して、本発明の最良の実施の形態を詳述してきたが、具体的な構成は
、この実施の形態に限らず、本発明の要旨を逸脱しない程度の設計的変更は、本発明に含
まれる。
【００６７】
例えば、前記実施の形態では、二階建てのユニット建物について説明したが、これに限
定されることなく一階建てまたは三階建て以上のユニット建物であっても良い。
【００６８】
また、１８個の建物ユニットからなるユニット建物について説明したが、建物ユニット
数は特に限定されることなく、少なくとも２本の上部桁フレーム材を備えた建物ユニット
を少なくとも１個備えたユニット建物であれば良い。
【００６９】
さらに、片持ち垂木は、１つのユニット建物に形成された上部桁フレーム材に架け渡し
た場合について説明したが、異なるユニット建物の上部桁フレーム材に架け渡してもよい
。
【図面の簡単な説明】
【００７０】
【図１】本発明の実施の形態における建物本体の斜視図である。
【図２】本発明の実施の形態における建物ユニットの骨組みの斜視図である。
【図３】本発明の実施の形態における軒先の断面図（図１におけるＸ−Ｘ線断面図）である。
【図４】本発明の実施の形態における折版屋根の下側空間に垂木を配設した状態の断面図（図１および図３におけるＹ−Ｙ線断面図）である。
【図５】本発明の実施の形態における垂木とフレームの部品図である。
【図６】本発明の実施の形態における垂木とフレームを建物ユニットに取り付ける状態の斜視図である。
【図７】本発明の実施の形態におけるフレームに垂木を取り付けた状態の側面図である。
【図８】本発明の実施の形態における垂木を上部桁フレームに固定した状態の側面図である。
【図９】本発明の実施の形態における軒先にパラペットを取り付けた状態の側面図である。
【図１０】本発明の実施の形態における軒先に折版屋根を形成した状態の側面図である。
【図１１】従来例の建物の軒先構造の断面図である。
【図１２】従来例の建物の軒先構造における支持部材の斜視図である。
【符号の説明】
【００７１】
１  ユニット建物（建物本体）
３  建物ユニット
４  折版屋根
５  軒先
８ａ，８ｂ  上部桁フレーム材（桁屋根梁）
１４  軒先部材
１４ａ  軒先支持部材
１５  パラペット部
１６  延長アーム部
２１  通梁材
２５  片持ち垂木
２５ａ  軒先延長部
２６  山部
２７  下側空間
２９  フレーム
【図１】
2006028753.tif 000003
【図２】
2006028753.tif 000004
【図３】
2006028753.tif 000005
【図４】
2006028753.tif 000006
【図５】
2006028753.tif 000007
【図６】
2006028753.tif 000008
【図７】
2006028753.tif 000009
【図８】
2006028753.tif 000010
【図９】
2006028753.tif 000011
【図１０】
2006028753.tif 000012
【図１１】
2006028753.tif 000013
【図１２】
2006028753.tif 000014